(57)【要約】【課題】  コストを抑制しつつ、且つ品質を保持しつつ３種類の表示を行うことができる可変表示構造を提供すること。【解決手段】  第１印刷部分１０ｂと、第２印刷部分１０ｃと、背景印刷部分１０ｅと、第１光源３及び第２光源４の光を抑制して透過する調光印刷部１０ｄと、各印刷部分より表示側に、第３光源１４の光を導光するガイドライト９と、ガイドライト９で、各印刷部分より表示側に到達させた光を第３表示１４の意匠形状で表示側へ向かわせて表示光を形成する表示光形成部１５を備えた。【選択図】      図１
2008076880.tif 000002
【特許請求の範囲】
【請求項１】
透光性のあるシートに波長の異なる第１光源の光と第２光源、及び第３光源の光を切り換えて投光させ、
第１表示と第２表示、及び第３表示を行わせる可変表示構造であって、
前記第１光源の波長のみを透過させる第１印刷部分と、
前記第２光源の波長のみを透過させる第２印刷部分と、
前記第１光源の波長と第２光源の波長を透過させない第３印刷部分と、
前記第１表示と前記第２表示の重複する部分と重なる部分で、第１光源及び第２光源の光を抑制して透過する調光印刷部と、
各印刷部分より表示側に、前記第３光源の光を導光する導光部材と、
前記導光部材で、各印刷部分より表示側に到達させた光を前記第３表示の意匠形状で表示側へ向かわせて表示光を形成する表示光形成部と、
を備えることを特徴とする可変表示構造。
【請求項２】
請求項１に記載の可変表示構造において、
前記導光部材は、
各印刷部分より表示側を覆うシート部分と、前記シート部分の側端部に前記第３光源の光を導光する前記シート部分と別体の部分からなり、
前記シート部分に、前記表示光形成部を設ける、
ことを特徴とする可変表示構造。
【請求項３】
請求項１又は請求項２に記載の可変表示構造において、
前記導光部材は、
各印刷部分より表示側を覆うシート部分と、前記シート部分の側端部に前記第３光源の光を導光する前記シート部分と別体の部分からなり、
前記シート部分の表示側に前記表示光形成部を設け、前記シート部分の表示側の反対側に各印刷部分を設けた、
ことを特徴とする可変表示構造。
【請求項４】
請求項１〜請求項３のいずれか１項に記載の可変表示構造において、
前記表示光形成部は、梨地処理を施すことにより設けたことを特徴とする可変表示構造。
【請求項５】
請求項１〜請求項３のいずれか１項に記載の可変表示構造において、
前記表示光形成部は、拡散印刷を施すことにより設けたことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来の技術においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照）。
【特許文献１】特開２００１−１００６７９号公報（第２−８頁、全図）
【発明の開示】
【発明が解決しようとする課題】
【０００３】
しかしながら、従来では、２つの意匠のうちどちらかの選択であった。
【０００４】
これに対し、第３の表示を行い、表示の自由度を拡げたいという要求がある。
但し、コストを抑制し、生産性を考慮した品質の保持がなければ、実現は困難である。
【０００５】
本発明は、上記問題に着目してなされたもので、その目的とするところは、コストを抑制しつつ、且つ品質を保持しつつ３種類の表示を行うことができる可変表示構造を提供することにある。
【課題を解決するための手段】
【０００６】
上述の目的を達成するため、本発明の可変表示構造では、透光性のあるシートに波長の異なる第１光源の光と第２光源、及び第３光源の光を切り換えて投光させ、第１表示と第２表示、及び第３表示を行わせる可変表示構造であって、前記第１光源の波長のみを透過させる第１印刷部分と、前記第２光源の波長のみを透過させる第２印刷部分と、前記第１光源の波長と第２光源の波長を透過させない第３印刷部分と、前記第１表示と前記第２表示の重複する部分と重なる部分で、第１光源及び第２光源の光を抑制して透過する調光印刷部と、各印刷部分より表示側に、前記第３光源の光を導光する導光部材と、前記導光部材で、各印刷部分より表示側に到達させた光を前記第３表示の意匠形状で表示側へ向かわせて表示光を形成する表示光形成部と、を備えることを特徴とする。
【発明の効果】
【０００７】
本発明では、コストを抑制しつつ、且つ品質を保持しつつ３種類の表示を行うことができる。
【発明を実施するための最良の形態】
【０００８】
以下に、本発明の距離画像生成装置を実現する実施の形態を、請求項１，４，５に対応した実施例１、請求項２に対応した実施例２、請求項３に対応した実施例３、応用例である実施例４、実施例５に基づいて説明する。
【実施例１】
【０００９】
まず構造を説明する。
図１は実施例１の可変表示構造のスイッチを示す断面図である。図２は実施例１のカラーフィルタ及びガイドライトの正面図である。図３は図２のＡ−Ａ断面図である。図４はガイドライト部分を除いたカラーフィルタの正面図である。図５は第１印刷部分、第２印刷部分の特性と第１光源、第２光源の波長との関係を示す説明図である。図６は、第１表示、第２表示、第３表示を表示させた状態を示す説明図である。
スイッチ１は、まず、矩形枠状のスイッチフィニッシャ２の内部に矩形枠状のガイドハウジング７を設ける（図１参照）。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
【００１０】
基板６の前面側、つまりスイッチフィニッシャ２の内部側には、波長が約５００nmをピークとする第１光源３と、波長が約６００nmをピークとする第２光源４、押されることによりON/OFFの操作入力を行うタクトスイッチ５を設ける。
第１光源３及び第２光源４としては、異なる色を発色するLEDがコスト抑制、メンテナンス性から好ましいが、別のものであってもよい。次に、内外で２重の枠部分を有するスライダ８を設ける。スライダ８の内部の枠部分は、第１光源３及び第２光源４側に行くに従って角錐状に内側が狭くなる形状にする。また、スライダ８の内側の枠形状部分は後方に延長し、第１光源３及び第２光源４の側方を覆うようにする。
【００１１】
さらに、スライダ８の内側の枠形状部分の下方傾斜面には、下方に突出する形状の係合部８ａを設ける。係合部８ａの位置は、下方に移動するとタクトスイッチ５と係合する位置にする。
スライダ８の内側枠部分の前面部分には、カラーフィルタ１０を設ける。
【００１２】
カラーフィルタ１０の前面部分には、カラーフィルタ１０を覆う大きさのガイドライト９を設ける。
スイッチフィニッシャ２とガイドハウジング７の一部の間には、基板６側に空間を形成するようにして、その空間部分の基板６に光源３１を設ける。
そして、ガイドライト９の端部の一部をスイッチフィニッシャ２とガイドハウジング７の間に沿って、光源３１の光の照射方向に位置させるよう伸長した形状で設けるようにする。つまり、光源３１は、第１光源３や第２光源４の位置するスライダ８の内部へは光を到達させず、ガイドライト９の端部の延長部分へ光を照射する。
ガイドライト９の前面部分には、消灯時に外光によって印刷パターンが見えてしまうのを防ぐために全体的に透光性が低くされたスモークレンズ１１を設ける。
【００１３】
ここで、スモークレンズ１１、カラーフィルタ１０、ガイドライト９を取り付けたスライダ８を、ガイドハウジング７のレール部分に係合させて前後に摺動自在にする。
これにより、スライダ８をタクトスイッチ５に向かって押すと、スライダ８が摺動して傾斜面から下方に突出する形状の係合部８ａがタクトスイッチ５を押す構造にする。
また、押された後に、自由状態にすると、タクトスイッチの反力で戻る構造にする。
【００１４】
カラーフィルタ１０は、透明なシート１０ａの前面に、第１印刷部分１０ｂ、第２印刷部分１０ｃ、調光印刷部分１０ｄ、背景印刷部分１０ｅを設ける。
ここで、第１表示１２を図６(a)に示す文字の「Ａ」、第２表示１３を図６(b)に示す文字の「Ｅ」、第３表示１４を図６(c)に示す文字の「Ｉ」とする。
第１印刷部分１０ｂは、第１表示１２である「Ａ」の第２表示１３「Ｅ」と重ならない図４の部分であり、赤色光を通過させる赤い色の印刷である。この第１印刷部分１０ｂの波長に対する透過効率の特性は、図５の線２１で示す特性となる。
【００１５】
第２印刷部分１０ｃは、第２表示１３である「Ｅ」の第１表示１２「Ａ」と重ならない図４の部分であり、青色光を通過させる青い色の印刷である。この第２印刷部分１０ｃの波長に対する透過効率の特性は、図６の線２３で示す特性となる。
調光印刷部１０ｄは、第１表示１２である「Ａ」と第２表示１３である「Ｅ」の重なる図４の部分であり、赤色光及び青色光を通過させる印刷である。調光印刷部分１０ｄの波長に対する透過効率の特性は、図６の線２５で示す特性となる。
背景印刷部分１０ｅは、第１表示１２である「Ａ」と第２表示１３である「Ｅ」以外の部分であり、赤色光及び青色光を通過させない印刷部分である。
【００１６】
次に、これら、第１印刷部分１０ｂ、第２印刷部分１０ｃ、調光印刷部１０ｄ、背景印刷部分１０ｅを設けた上側（表示側）に位置するガイドライト９に、第３表示１４である「Ｉ」の部分を、表示光形成部１５として設ける。
表示光形成部１５は、ガイドライト９により光源３１の導光を、表示方向へ乱反射や拡散させ、第３表示１４である「Ｉ」を表示させる部分である。例として、光を乱反射させる梨地加工をガイドライト９に行う。あるいは、拡散印刷を設けることを挙げておく。
【００１７】
次に作用を説明する。
[表示作用]
(a)第１表示
実施例１において、第１表示１２を表示させるには、第２光源４を点灯させ、第１光源３、光源３１を消灯する。
第２光源４から発せられる光は、スライダ８の内側枠で、第２光源４の側方に発散する光を前方に反射する。
このスライダ８の内側枠の内部空間を通るようにして、前面部分からカラーフィルタ１０に光が入光する。
【００１８】
すると、光はシート１０ａを通過し、第１印刷部分１０ｂでは、図５に示すように第１光源の光を通過させる（線２１と線２２で示す関係）ため、第１印刷部分１０ｂが明るく表示する。
さらに、調光印刷部１０ｄは、第１光源３及び第２光源４のどちらの光も通過させるため、この場合には、第１光源３の光を通過させる。調光印刷部１０ｄは第１印刷部分１０ｂに近い色みで明るく表示することになる（線２５と線２２で示す関係）。
【００１９】
一方、第２印刷部分１０ｃは、図５において、第２光源４の特性（線２２）に対して線２３で示す特性になるため、第２光源４の光は通過できない。
また、背景印刷部分１０ｅは、第１光源３の光、第２光源４の光のいずれも通過させない。
さらに、ガイドライト９及び表示光形成部１５は、その表示光が輝度をわずかに抑制されるのみで特に特性の制限なく通過する。
また、スモークレンズ１１では、表示光は輝度を一様に抑制されて通過する。このスモーク作用によりやや暗くぼかされて表示光を通過させる。そのため、第１印刷部分１０ｂと調光印刷部１０ｄの色みの違いもさらに認識できにくくなり、ガイドライト９と表示光形成部１５の違いも、実際に使用する人が見る距離では、見分けがつきにくくなる。このようにして、第１表示１２、つまり、図６(a)に示す「Ａ」が表示されることになる。
【００２０】
(b)第２表示
実施例１において、第２表示１３を表示させるには、第１光源３を点灯させ、第２光源４、光源３１を消灯する。
すると、第２印刷部分１０ｃと第２光源４との関係は、図５の線２３と線２４の関係となるため、第２印刷部分１０ｃが明るく表示される。
さらに、調光印刷部１０ｄでは、第１光源３及び第２光源４のどちらの光も通過させるため、この場合には、第１光源３の光を通過させる。調光印刷部１０ｄは第２印刷部分１０ｃに近い色みと明るさで表示することになる。
【００２１】
一方、第１印刷部分１０ｂと第１光源３との関係は、図５において、線２１と線２４の関係となるため、第１光源３の光は通過できない。
また、背景印刷部分１０ｅは第１光源３及び第２光源４の光をいずれも通過させない。
さらに、ガイドライト９及び表示光形成部１５は、その表示光が輝度をわずかに抑制されるのみで特に特性の制限なく通過する。
また、スモークレンズ１１では、表示光は輝度を一様に抑制されて通過する。
このスモーク作用によりやや暗くぼかされて表示光を通過させる。そのため、第１印刷部分１０ｂと調光印刷部１０ｄの色みの違いもさらに認識できにくくなり、また、ガイドライト９と表示光形成部１５の違いも、実際に使用する人が見る距離では、見分けがつきにくくなる。
このようにして、第２表示１３、つまり、図６(b)に示す「Ｅ」が表示されることになる。
【００２２】
(c)第３表示
実施例１において、第３表示１４を表示させるには、第１光源３、第２光源４を共に消灯し、光源３１を点灯する。
すると、光源３１が発する光は、第１光源３、第２光源４のように、各印刷部分を背面から照射することなく、ガイドライト９により、各印刷部分の表示側の表面のさらに、表示側のガイドライト９内部を導光され、側方から表示光形成部１５を照射する。
【００２３】
表示光形成部１５では、ガイドライト９内部からの光を乱反射、もしくは拡散反射して、形成した「Ｉ」の形状で表示光を発することになる。
そして、スモークレンズ１１を通過する際の輝度抑制により、表示光形成部１５以外の部分が一様に暗く表示に寄与しない部分となることで、第３表示１４である文字「Ｉ」が表示される。
【００２４】
[スイッチ作用]
実施例１では、操作する人がスモークレンズ１１を押すと、一体化したスライダ８が摺動し、スライダ８の一部がタクトスイッチ５を押す。
スイッチ１としては、基板６に設けられる図示しない回路によって、どの表示状態において、タクトスイッチ５に入力があったかを判断し、３つの操作入力として使用する。これにより、１つのスイッチにおいて、異なるモードでの操作入力が可能となる。
【００２５】
[コストを抑制作用及び表示品質の向上作用]
実施例１の可変表示構造では、ライトガイド９と表示光形成部１５、光源３１により第３の表示を、可変表示構造を大きく変更することなく、行うことができ、コストが抑制される。
この第３の表示が行えることは、デザインの自由度を拡げることができ、表示品質を向上させることになる。
【００２６】
次に効果を説明する。
本実施の形態の可変表示構造にあっては、次に列挙する効果を得ることができる。
(1)透光性のあるシート１０ａに波長の異なる第１光源３の光と第２光源４、及び第３光源３１の光を切り換えて投光させ、第１表示１２と第２表示１３、及び第３表示１４を行わせる可変表示構造であって、第１光源３の波長のみを透過させる第１印刷部分１０ｂと、第２光源４の波長のみを透過させる第２印刷部分１０ｃと、第１光源３の波長と第２光源４の波長を透過させない背景印刷部分１０ｅと、第１表示１２と第２表示１３の重複する部分と重なる部分で、第１光源３及び第２光源４の光を抑制して透過する調光印刷部１０ｄと、各印刷部分より表示側に、第３光源１４の光を導光するガイドライト９と、ガイドライト９で、各印刷部分より表示側に到達させた光を第３表示１４の意匠形状で表示側へ向かわせて表示光を形成する表示光形成部１５を備えるため、コストを抑制しつつ、且つ品質を保持しつつ３種類の表示を行うことができる。
(4)表示光形成部１５は、梨地処理を施すことにより設けたため、梨地処理部分により光源３１の光を乱反射し、表示側から見ると、あたかも梨地部分が発光しているかのようになることで、第３表示１４を、コストを抑制して、表示することができる。
(5)表示光形成部１５は、拡散印刷を施すことにより設けたため、拡散印刷部分により光源３１の光を拡散させ、表示側から見ると、あたかも梨地部分が発光しているかのようになることで、第３表示１４を、コストを抑制して、表示することができる。
【実施例２】
【００２７】
実施例２の可変表示構造は、各印刷部分の上方、つまり表示側に、透明シートを設け、透明シートに表示光形成部を設ける例である。
構成を説明する。
図７は実施例２の可変表示構造のスイッチを示す断面図である。
実施例２では、カラーフィルタ１０の前面部分には、カラーフィルタ１０を覆う大きさの透明シート１６を設け、ガイドライト９は、透明シート１６の側端部に光を導入するように設ける。
【００２８】
そして、透明シート１６の各印刷部分側に、ガイドライト９及び透明シート１６により光源３１の導光を、表示方向へ乱反射や拡散させ、第３表示１４である「Ｉ」を表示させる部分である表示光形成部１５を設ける。
実施例２では、透明シート１６の各印刷部分側に、梨地加工を施すか、拡散印刷を設けるかを行うものとする。
その他構成は、実施例１と同様であるので、説明を省略する。
【００２９】
作用を説明する。
[コストを抑制作用]
図７に示すように、透明シート１６を設けることにより、ガイドライト９は、光源３１から透明シート１６の端部までを導光すればよいことになり、導光部材よりコストの低い透明シート１６を用いることができ、コストをさらに抑制することが可能になる。
【００３０】
また、表示光形成部１５を設ける透明シート１６は、ガイドライト９と別体にしたことにより、一枚物のシート形状となり、梨地加工を施すか、拡散印刷の作業性が向上する。これにより、さらにコスト抑制が行える。また、良好な作業性は精度の向上につながり、表示品質の向上につなげることができる。
第３表示作用、その他作用は実施例１と同様であるので、説明を省略する。
【００３１】
効果を説明する。
実施例２の可変表示構造にあっては、上記(1)の効果に加えて、以下の効果を有する。
(2)導光部材は、各印刷部分より表示側を覆う透明シート１６と、透明シート１６の側端部に光源３１の光を導光する透明シート１６と別体のガイドライト９からなり、透明シート１６に、表示光形成部１５を設けるため、コストを充分に抑制しつつ、３種類の表示を行うことができる。
【実施例３】
【００３２】
実施例３の可変表示構造は、透明シートの上方、つまり表示側に表示光形成部を設け、透明シートの反対側の面に各印刷部分を設けるようにした例である。
構成を説明する。
図８は実施例３の可変表示構造のスイッチを示す断面図である。
実施例３では、カラーフィルタ１０のシート１０ａを設けず、透明シート１６の表示側に、表示光形成部１５を設け、その反対側に、第１印刷部分１０ｂ、第２印刷部分１０ｃ、調光印刷部分１０ｄ、背景印刷部分１０ｅを設ける。
その他構成は、実施例１と同様であるので説明を省略する。
【００３３】
作用を説明する。
[コストを抑制作用]
図８に示すように、透明シート１６の一方の面に表示光形成部１５を設け、他方の面に各印刷部分を設けるため、シート１０ａを省略することができ、コストをさらに抑制することができる。また、ガイドライト９と別体にしたことにより、一枚物のシート形状となり、梨地加工を施すか、拡散印刷の作業性が向上する。これにより、さらにコスト抑制が行える。また、良好な作業性は精度の向上につながり、表示品質の向上につなげることができる。
第３表示作用、その他作用は実施例１と同様であるので、説明を省略する。
【００３４】
効果を説明する。
(3)導光部材は、各印刷部分より表示側を覆う透明シート１６と、透明シート１６の側端部に光源３１の光を導光する透明シート１６と別体の部分からなり、透明シート１６の表示側に表示光形成部１５を設け、透明シート１６の表示側の反対側に各印刷部分を設けたため、シート１０ａを省略し、コストを充分に抑制しつつ、３種類の表示を行うことができる。
【実施例４】
【００３５】
実施例４は、可変表示構造をオーディオに用いた応用例である。
まず構成を説明する。
図９は、実施例４の可変表示構造の第１〜第３の表示例を示す説明図である。
実施例４では、第１光源３の点灯時に青色で「ＣＤ」を表示し、第２光源４の点灯時に赤色で「ＴＵＮＥ」を表示し、光源３１の点灯時に白色で「ＤＶＤ」を表示する装置表示部４０に可変表示構造を用いている。
その他構成は、実施例と同様であるので説明を省略する。
【００３６】
次に作用効果を説明する。
実施例４では、「ＣＤ」、「ＴＵＮＥ」、「ＤＶＤ」を同じ位置で表示するため、表示スペースの効率化になり、デザイン上有利であり、操作するスイッチに使用した場合には、１つのスイッチで複数の機能に切り替えることを見易く行うことができる。
【実施例５】
【００３７】
実施例５は可変表示構造を車両メータに用いた例である。
まず構成を説明する。
図１０は、実施例５の可変表示構造の第１〜第３の表示例を示す説明図である。
実施例５の車両メータ５０では、第１光源３の点灯時には、青色のメータ目盛表示を行い、第２光源４の点灯時には、赤色のメータ目盛表示を行い、光源３１の点灯時には、白色のメータ目盛表示を行う。また、それぞれのメータ目盛表示は異なる形状にする。
【００３８】
作用効果を説明する。
実施例５では、異なる色、形状の３種類の車両メータ５０を表示できるため、例えば、個人の好みにより変更する。また、例えば、状況による見易さから変更するなどすれば、使用者がより見易い表示となる。
【００３９】
（その他の実施の形態）
以上、本発明の実施の形態を実施例１〜実施例５に基づいて説明してきたが、本発明の具体的な構成は実施例に限定されるものではなく、発明の要旨を逸脱しない範囲の設計変更等があっても、本発明に含まれる。
第１表示、第２表示、第３表示は他の色であってもよい。
印刷には、シルク印刷、凸版印刷、インクジェット印刷、熱転写印刷があり、いずれの印刷によるものでもよい。また、他の印刷によるものであってもよい。
【図面の簡単な説明】
【００４０】
【図１】実施例１の可変表示構造のスイッチを示す断面図である。
【図２】実施例１のカラーフィルタ及びガイドライトの正面図である。
【図３】図２のＡ−Ａ断面図である。
【図４】ガイドライト部分を除いたカラーフィルタの正面図である。
【図５】第１印刷部分、第２印刷部分の特性と第１光源、第２光源の波長との関係を示す説明図である。
【図６】第１表示、第２表示、第３表示を表示させた状態を示す説明図である。
【図７】実施例２の可変表示構造のスイッチを示す断面図である。
【図８】実施例３の可変表示構造のスイッチを示す断面図である。
【図９】実施例４の可変表示構造の第１〜第３の表示例を示す説明図である。
【図１０】実施例５の可変表示構造の第１〜第３の表示例を示す説明図である。
【符号の説明】
【００４１】
１  スイッチ
２  スイッチフィニッシャ
３  第１光源
４  第２光源
５  タクトスイッチ
６  基板
７  ガイドハウジング
８  スライダ
８ａ  係合部
９  ガイドライト
１０  カラーフィルタ
１０ａ  シート
１０ｂ  第１印刷部分
１０ｃ  第２印刷部分
１０ｄ  調光印刷部
１０ｅ  背景印刷部分
１１  スモークレンズ
１１ａ  スモークカバー
１２  第１表示
１３  第２表示
１４  第３表示
１５  表示光形成部
１６  透明シート
２０ａ  アッパハウジング
２０ｂ  ロアハウジング
２１〜２５  線
３１  光源
４０  装置表示部
５０  車両メータ
【図１】
2008076880.tif 000003
【図２】
2008076880.tif 000004
【図３】
2008076880.tif 000005
【図４】
2008076880.tif 000006
【図５】
2008076880.tif 000007
【図６】
2008076880.tif 000008
【図７】
2008076880.tif 000009
【図８】
2008076880.tif 000010
【図９】
2008076880.tif 000011
【図１０】
2008076880.tif 000012